(57)【要約】ペーパーマシーン等の乾燥部のウェブ通紙装置及び方法が開示される。リーダ（２４）及び所謂ランダウンストリップが、乾燥部の乾燥用シリンダに至るウェブにカットを施すことにより形成される。負圧ボックス（１８）は、乾燥ワイヤのウェブに対向しない側で、乾燥用シリンダ（１４）と乾燥ワイヤとの間の開口隙間に配設され、これにより、ボックスは、ウェブに対してマシーン横断方向に制御可能な負圧を作用させることができる。負圧ボックスは、リーダと負圧ボックスの間に負圧領域（３４’）を生成し、当該領域は、ワイヤが乾燥用シリンダ（１４）から離れる離脱点にて負圧ｐ１を有する。この負圧は、リーダを乾燥用シリンダから離脱させるのに充分な値である。保護領域が、リーダで生成された負圧領域とランダウンストリップとの間に生成され、保護領域は、負圧領域で負圧ｐ１を維持すべく、バリア（４６）を有する。
2004512442.tif 000002
【特許請求の範囲】
【請求項１】
第１段階では、
−リーダである第１のストリップ（２４）、及び少なくとも１つの第２のストリップ（２６）が、乾燥部のシリンダ乾燥集合等に至るウェブにカット若しくは他の同等方法により形成され、
−リーダ（２４）が、ウェブが下方に走行することができるシリンダ乾燥集合等の乾燥用シリンダから乾燥部で前方に走行するようにガイドされ、前記少なくとも１つの第２のストリップ（２６）が、典型的には乾燥部下方のパルパー若しくは乾燥部下方のコンベア等へと乾燥部を離れることが可能とされ、
スプレッディング段階である第２段階では、
−リーダがウェブの全幅まで広げられることが可能とされる、ペーパーマシーン等の乾燥部におけるウェブ通紙方法であって、
乾燥部において、負圧ボックス（１８）等が、前記乾燥用シリンダと乾燥ワイヤとの間の開口隙間に、ワイヤのウェブに対向しない側で配設され、該ボックスは、ウェブにマシーン横断方向に制御可能な負圧を作用させることができ、
−該負圧ボックス等は、リーダと負圧ボックスとの間に、ワイヤが前記乾燥用シリンダから離脱する離脱点で負圧ｐ１を有する負圧領域（３４’）を生成し、該負圧ｐ１は、前記乾燥用シリンダからリーダを離脱させる及び／又はワイヤにリーダを追従させるのに十分な値であり、
−リーダの位置に形成される負圧領域と、マシーン横断方向で見て負圧領域の近傍の領域との間に保護領域が設けられ、該保護領域は、負圧領域（３４’）とその近傍の領域（３４’’）との間にバリア（４６）を有し、該近傍の領域は、負圧ｐ１とは異なる圧力ｐ２であって、負圧ｐ１よりも大きさが小さく、ゼロ若しくは正圧である圧力ｐ２を有し、これにより、負圧領域で負圧ｐ１を維持させることを特徴とする、方法。
【請求項２】
圧力ｐ２は、ワイヤから第２のストリップを離脱させることを可能とするような値である、請求項１記載の方法。
【請求項３】
スプレッディング段階中、負圧領域は、リーダのスプレッディングに従ってマシーン横断方向に広げられる、請求項１記載の方法。
【請求項４】
保護領域は、リーダと第２のストリップとの間のウェブに形成された第３のストリップの位置に形成され、離脱点での負圧は、負圧ｐ１から圧力ｐ２へと実質的に該保護領域にて変化する、請求項１記載の方法。
【請求項５】
保護領域は、リーダと第２のストリップとの間に形成された幅広いスリットの位置に形成され、負圧は、離脱点で、該幅広いスリットに亘って負圧ｐ１から圧力ｐ２へと変化する、請求項１記載の方法。
【請求項６】
前記保護領域を通る空気の流れは、仕切り部材、噴射ブローを生成する部材、若しくは、ウェブへの負圧ボックスから突出する部材のような、シール部材により形成されたバリア（４６）により制限若しくは禁止され、該部材は、マシーン横断方向に可動とされる、請求項１記載の方法。
【請求項７】
ウェブ通紙中、少なくとも１つの第２のストリップ及び／又は第３のストリップは、第１の乾燥用シリンダの後でこれらのストリップに向けられるブローによって、及び／又は、適切な手段により乾燥用シリンダにこれらのストリップを付着させることによって、乾燥ワイヤに追従するのを防止される、請求項１又は４記載の方法。
【請求項８】
シリンダ乾燥部に至る完全幅のウェブから、リーダである第１のストリップ（２４）と少なくとも１つの第２のストリップ（２６）とをカットするカッター（２２）若しくはその類と、
乾燥部で第１の乾燥用シリンダ（１４）からリーダを前方へと方向付ける手段と、
典型的にはパルパー若しくは乾燥部下方に位置するコンベア等へと、乾燥部から第２のストリップを取り除く手段と、
前記第１の乾燥用シリンダと乾燥ワイヤとの間の開口隙間の離脱点（１７）に、ワイヤのウェブに対向しない側で配設される、前記第１の乾燥用シリンダからウェブを離脱させるための負圧ボックスと、
ウェブの全幅までリーダの幅を広げる手段とを含む、ペーパーマシーン等の乾燥部におけるウェブの通紙装置であって、
負圧ボックスによりウェブへと向けられる負圧は、マシーン横断方向で制御可能とされ、ワイヤが前記乾燥用シリンダ（１４）から離脱する離脱点でリーダと負圧ボックスとの間に負圧ボックスにより生成される負圧領域（３４’）の負圧ｐ１は、マシーン横断方向に見て該負圧領域（３４’）の近傍の少なくとも１つの第２の領域（３４’’）の圧力ｐ２よりも強く、負圧ｐ２は、負圧ｐ１より小さく、ゼロ若しくは正圧であり、負圧ｐ１は、前記第１の乾燥用シリンダからリーダを離脱させる及び／又はワイヤにリーダを追従させるのに十分な値であり、
本装置は、リーダの位置に生成される負圧領域と、負圧領域の近傍の第２の領域（３４’’）との間に保護領域を形成する手段を更に含み、該保護領域は、負圧領域と第２の領域との間にバリアを含み、これにより、負圧領域で負圧ｐ１を維持させることを特徴とする、装置。
【請求項９】
圧力ｐ２は、ワイヤから第２のストリップを離脱させることを可能とするような値である、請求項８記載の装置。
【請求項１０】
カッターは、短い離間距離をもって並列に配列された少なくとも２つのカット部材を有し、リーダと第２のストリップとの間に、保護領域の幅を定める狭い第３のストリップ（２８）をウェブから作成するようにした、請求項８記載の装置。
【請求項１１】
カッターは、リーダと第２のストリップとの間に残されたウェブ部位を微小なストリップへとカットする一若しくはそれ以上の刃を有する、請求項１０記載の装置。
【請求項１２】
カッターは、リーダと第２のストリップとの間に、保護領域の幅を定める幅広いスリットを形成するカット部材を有する、請求項８記載の装置。
【請求項１３】
前記負圧ボックスの負圧は、負圧がリーダから第２のストリップに向かって減少するように保護領域で変化する、請求項８記載の装置。
【請求項１４】
本装置は、第２及び／又は第３のストリップが乾燥ワイヤに追従するのをブローにより防止するように構成された噴射部材（５４）を含む、請求項８又は１０記載の装置。
【請求項１５】
本装置は、第２及び／又は第３のストリップが付着するのが望まれる第１の乾燥用シリンダの表面の部位に、水若しくは他の適切な液体を噴射する部材（６８’）を含む、請求項８又は１０記載の装置。
【請求項１６】
本装置は、乾燥用シリンダの表面に付着されることが望まれ乾燥用シリンダ後にワイヤから離れるウェブの部位に、水若しくは他の適切な液体を噴射する部材（６８）を含む、請求項８又は１０記載の装置。
【請求項１７】
本装置は、乾燥ワイヤにリーダを付着させるため、リーダ若しくはリーダが形成されるウェブの部位を湿らせる手段を含む、請求項８又は１０記載の装置。
【請求項１８】
本装置は、リーダと、リーダの両側に少なくとも２つのランダウンストリップとを完全幅のウェブからカットするカッターを含み、
本装置は、リーダに生成される負圧領域の両側に保護領域を生成する部材を更に含み、
ウェブのスプレッディング中、保護領域を生成する部材は、マシーンの中央からマシーンの前側若しくは後側に向かって可動とされる、請求項８記載の装置。
【請求項１９】
保護領域を生成する部材は、ウェブのスプレッディング中、マシーン横断方向に可動とされる、請求項８記載の装置。
【発明の詳細な説明】
【０００１】
本発明は、上記独立形式の請求項の冒頭部に定義された、ペーパーマシーン等の乾燥部でのウェブ通紙のための方法及び装置に関する。
【０００２】
現代の紙若しくは板紙用のペーパーマシーンでは、ウェブは、プレス部から乾燥部へと、典型的には、オープンラン無しのクローズドランとして、搬送され、ウェブが乾燥部の第１の乾燥用シリンダへと完全な幅で搬送されるようにしている。ウェブが乾燥部の第１の乾燥用シリンダは、典型的には、所謂単一ワイヤ走行に適合している。
【０００３】
第１の乾燥用シリンダへウェブを狭い幅として搬送することも可能であり、これは、乾燥用シリンダ上で完全な幅へと広げることが可能とされている。これは、従来タイプのプレスを有し、プレス部から乾燥部までオープンランを有するペーパーマシーンにおいて、通常的である。プレス部と第１の乾燥用シリンダとの間には、例えば上部送風ユニットやその他の乾燥ユニットのような他の装置が存在してもよい。乾燥用シリンダからは、ウェブは、典型的には、ペーパーマシーンの下方のパルパーへと、若しくは、損紙コンベアやペーパーマシーンの下方に位置するその類へと、ドクターを介して走行可能とされている。
【０００４】
完全な幅のウェブが第１の乾燥用シリンダに到達すると、先ず、狭い幅、所謂リーダのみが、乾燥部の端部に順方向で通過する。次いで、リーダは、乾燥部の前方へとワイヤに少なくとも部分的に追従するように構成されている。ウェブのテールエンドが、続いて乾燥部の端部に、若しくは、乾燥部の所望の部分の端部に搬送されると、リーダは、所謂通紙のスプレッディング（幅広げ）段階で、ウェブの完全な幅まで広げられ、完全な幅のウェブが乾燥部若しくはその所望の部位を通って搬送されることになる。
【０００５】
以下、“ウェブ通紙”とは、特に言及しない限り、幅の狭いリーダのみが乾燥部等に搬送される通紙の初期段階、及び、幅の狭いリーダが完全な幅へと広げられる通紙のスプレッディング段階の双方を意味する。
【０００６】
ウェブは、典型的には、ウェブのエッジに切り込みを入れることにより形成される、分離した狭い先頭のストリップ、即ちリーダを利用して乾燥部に順方向に搬送され、第１のテールとしてのリーダが、乾燥部を通って前方に搬送されるようにする。ウェブの残りは、所謂ランダウンストリップである略完全な幅の第２のストリップを形成し、乾燥部に初期段階では搬送されず、第１の乾燥用シリンダでペーパーマシーン下方のパルパーへと下方向にドクターブレードから走行させられる。
【０００７】
乾燥用シリンダからのウェブの異なる部分の適切な離脱は、ウェブ通紙中及び通常走行中に双方において、若干問題となる。通常走行中、ウェブは、乾燥用シリンダからその全幅で離れるべきであり、また、乾燥用シリンダとワイヤとの間の開口隙間に即座にくるべきである。しかし、ウェブ通紙中、狭いリーダのみ若しくは幅が広がったリーダがシリンダを離れるべきである一方で、ウェブの第１の主要部は、開口隙間の後でも、ある距離に沿ってシリンダの表面に付着した状態で留まるべきである。
【０００８】
第１のシリンダからのウェブの通紙及び前進は、従って、例えば１５００ｍ／ｍｉｎのような高速走行時に特に問題となりうる。このとき、リーダに最も近いランダウンストリップのエッジは、リーダの動作が当該エッジでも作用するので、乾燥部で順方向にワイヤに容易に追従してしまう。
【０００９】
リーダの補助により第１の乾燥用シリンダからのウェブの通紙を可能とするためには、上述の第２のストリップ、若しくは、ウェブの主要部は、ワイヤにあまりに早く追従することが防止され、乾燥部の基盤に蓄積する非常に大量の損紙のような、乾燥部での問題が防止されなければならない。従って、ウェブの主要部は、ウェブの通紙中、シリンダとワイヤとの間の開口隙間内の、第１の乾燥用シリンダの表面上に、制御された態様で留まらなければならない。
【００１０】
プレス部から来るウェブは、第１の乾燥用シリンダの表面から容易に離脱し、ウェブがニップの補助により円滑なロールの表面に付着されるプレス部でなされるように、例えばニップの補助により、ウェブを適切な態様で、乾燥用シリンダに付着させることは可能ではない。ウェブは乾燥用シリンダの表面の強く付着しすぎているので、乾燥用シリンダからそれを離脱させることが最終的に望まれた時、ウェブを離脱させる際の問題を引き起こす。
【００１１】
乾燥部に対して、ブロー／負圧ボックスが開発されており、これは、強い負圧を生成し、通常走行中、乾燥用シリンダとワイヤとの間の開口隙間の後、また、高速走行時、ウェブを乾燥ワイヤに制御された態様で追従させる。このボックスによると、狭い実際のリーダ及びウェブの幅広い部位は、スプレッディング段階中、乾燥ワイヤに信頼性のある態様で追従するだろう。リーダや幅が広がるウェブに破損があってはならず、従って、ウェブは、制御された態様で、搬送されなければならない。この負圧ボックスは、非常に強い負圧を維持するので、ランダウンストリップ部は、ウェブの通紙段階においてさえ、制御された態様で第１の乾燥用シリンダの追従しマシーン下方のパルパー等へとシリンダのドクターブレードで下降するのでなく、ワイヤに追従する傾向となる。
【００１２】
本発明の目的は、ペーパーマシーン等のウェブ通紙のための改善方法及び装置の提供である。
【００１３】
本発明の目的は、上述の問題を最小化する方法及び装置の提供である。
【００１４】
本発明の特別な目的は、リーダの乾燥部を通った制御された搬送を確実化できる方法及び装置の提供である。
【００１５】
更なる目的は、ウェブのランダウンストリップが乾燥部を制御されない態様で前方に走行するのを防止できる方法及び装置の提供である。
【００１６】
更なる目的は、制御された態様でリーダとランダウンストリップを相互に分離でき、第１の乾燥用シリンダの開口隙間及びそれ以降において、それらを制御された態様で走行させることができる方法及び装置の提供である。
【００１７】
上述の目的を達成するため、本発明による方法及び装置は、独立形式の請求項の特徴部の定義により特徴付けられる。
【００１８】
本発明は、少なくとも第１のシリンダ乾燥集合が、所謂単一ワイヤ走行に適合した集合であり、負圧ボックスが、第１の乾燥用シリンダと乾燥ワイヤの間の開口隙間、即ち、乾燥ワイヤが乾燥用シリンダから離脱する領域に、ワイヤのウェブに対向しない側で配列され、当該ボックスが、離脱点、即ち、乾燥ワイヤと乾燥用シリンダとが離れる領域でウェブに負圧を作用させることができる、シリンダ乾燥部に効果的に適用される。負圧は、例えば噴射ブロー若しくは吸引の作用により生成可能である。本発明による解決手段によれば、負圧ボックスは、マシーン横断方向に制御可能な負圧を効果的に生成する。従って、負圧ボックスは、一方では、リーダにて負圧領域を生成でき、その負圧ｐ１は、第１の乾燥用シリンダからリーダを離脱させるのに十分な値であり、及び／又は、ワイヤにリーダを追従させる補助をするのに十分な値であり、他方では、ウェブの残りの部分により小さい負圧ｐ２を生成でき、負圧ｐ２は、負圧、ゼロ、若しくは正圧でありうり、ウェブの残り部が乾燥ワイヤから離れ乾燥用シリンダにドクターブレードまで追従することを可能とする。離脱点では、負圧ｐ１は、ウェブの通紙中、一般的に、３００〜１００００Ｐａの間であり、典型的には、５００〜５０００Ｐａの間であり、最も典型的には、６００〜３０００Ｐａの間である。同時に、圧力ｐ２は、一般的に、３００Ｐａ負圧〜１００００Ｐａ正圧の間であり、典型的には、１００負圧〜５０００Ｐａ正圧の間であり、最も典型的には、５０負圧〜５００Ｐａ正圧の間である。ウェブの走行方向において、離脱点の後、ウェブと負圧ボックスとの間には、負圧ｐ１よりも実質的に小さい負圧、即ち、約５０〜５００Ｐａの間、典型的には１００〜４００Ｐａ、最も典型的には２００〜４００Ｐａの負圧が構成される。
【００１９】
本発明による解決策は、典型的には、リーダ及び／又は一若しくはそれ以上の他のストリップにて所望の負圧を生成するため実際の負圧ボックスを利用することができる。他方、本発明による解決策は、負圧が他の適切な装置により生成されるときでも利用できる。本発明は、他のストリップでなくリーダでのみで負圧が生成されるときでも適用可能である。
【００２０】
本発明による解決策によると、負圧を備えた領域とより小さい負圧を備えた第２の領域との間に保護領域を生成することが更に提案され、当該領域は、ランダウンストリップ位置の領域よりもリーダ位置の領域においてより強い負圧ｐ１を維持することを可能とするバリアを有する。保護領域の目的は、マシーン横断方向におけるリーダの後に可及的速やかに負圧の除去を生成することである。このようにして、ウェブの残りの部位、即ちウェブの主要部が負圧を受けるようになることを防止することを目的とする。
【００２１】
更に、第３の狭いストリップは、好ましくは、第２のストリップとリーダとの間の保護領域でウェブに形成される。このとき、バリアは、第３のストリップの領域に配置でき、これにより、負圧ボックスとウェブとの間の負圧の変化が、第３のストリップの領域で生じ、この変化は、リーダの前方への走行を妨害せず、ウェブの主要部の乾燥部からの下降走行をも妨害しない。
【００２２】
第３のストリップに代わって、リーダ及び第２のストリップは、通常よりも広いスリットにより相互に分離でき、バリアは、このスリットに配設できる。特に効果的なバリアを使用することによって、この場合、リーダ及び第２のストリップでの圧力変化によって生ずる問題を回避することが可能となる。第１、第２、及び第３のストリップへの完全幅のウェブのカットは、典型低には、第１の乾燥用シリンダの直前でなされるが、このシリンダの前のより早い段階でなされてもよく、シリンダまではなされなくてもよい。
【００２３】
本発明によれば、マシーン横断方向で負圧領域周辺にバリアを生成する多くの異なる解決手段が使用できる。バリアは、負圧ボックスからウェブに向かって延在するシール部材によって、若しくは、噴射ブローを生成する手段によって提供できる。これらの手段は、好ましくは、マシーン横断方向に可動され、これにより、バリアは、マシーン横断方向に移動でき、従って、バリアは、また、リーダのスプレッディングと関連して動作する。
【００２４】
リーダが完全幅のウェブのエッジに形成されるとき、本発明によるバリアは、一般的に、リーダのマシーンエッジから遠い側でのみ必要とされる。一方、リーダが完全幅の中間に形成された場合、本発明によるバリアは、第２のストリップでもあるランダウンストリップをリーダの両側で分離させるために、リーダの両側で必要とされる。
【００２５】
本発明による解決手段を利用する典型的な乾燥部においては、リーダ（第１のストリップ）及びランダウンストリップ（第２のストリップ）に加えて、第１及び第２のストリップ間に第３のストリップを、プレス部から来る完全幅のウェブからカットすることにより、形成できるカット部材が配設される。従って、第３のストリップは、第１及び第２のストリップの間のウェブからカットされる。カット部材は、刃、噴射水、噴射ガス、若しくは他の部材であってよく、これらは、ウェブにスリットを作成でき、若しくは、他の方法でウェブを長手方向の部位へと分割できる。
【００２６】
第３のストリップは、好ましくは５００ｍｍより小さい幅、典型的には３〜４００ｍｍの間、最も典型的には５〜３００ｍｍの間の幅を有する非常に狭いストリップであり、マシーン下方のパルパー等に下降走行するか、若しくは、他の経路で出されることも可能である。典型的には、第３のストリップは、リーダより狭く、非常に狭く軽いので、パルパーへと“飛行”する際、若しくは、乾燥で更なる距離搬送される際に如何なる大きな問題を引き起こすことがなく、また、容易に除去できる。
【００２７】
更に、第３のストリップは、必要に応じて、非常に狭い微小ストリップへとカットされてよく、これにより、ウェブの当該部分が乾燥部等で問題を起こさないことがより確実化される。効果的には、微小なストリップは、容易に破れるほど狭く作成され、従って、マシーンのポケット部で大きな紙塊を引き起こすことがない。狭い微小なストリップは、容易に乾燥部から吹き出すことができる。
【００２８】
効果的には、第３のストリップは、リーダで作用する負圧ｐ１から第２のストリップで作用する圧力ｐ２へと当該ストリップの範囲に亘って負圧を減少させることを可能とする程度に、幅広く作成される。圧力が非常に急に、即ち、マシーン横断方向で非常に短い距離に亘って、例えば適切なバリア部材を備えた幅広いスリットに亘って、変化できる場合、第３のストリップは一切不要である。幅広いスリットは、例えば、並列に若しくは重なりあう態様で交互に配設された２若しくはそれ以上のカッターにより作成できる。
【００２９】
本発明による典型的な解決手段では、第１の乾燥用シリンダ後のワイヤランに向かう開口隙間にて配設された負圧ボックスの負圧は、マシーン横断方向で制御可能とされる。強い負圧ｐ１は、リーダに設定され、この負圧は、開口隙間後の乾燥ワイヤにリーダを追従させる補助をし、一方、第２のストリップ、即ち“ランダウン”ストリップでは、負圧ｐ１より小さい負圧ｐ２が設定される。上述の圧力差、ｐ１及びｐ２に起因して、圧力は、ストリップ間、即ち、本発明による保護領域にて変化するだろう。必要とされる保護領域の幅、例えば第３のストリップの幅は、バリアの配列に依存し、これにより圧力ｐ１、ｐ２が互いに分離される。保護領域で生成される圧力状態は、望ましい時には、制御されてよい。スプレッディング段階において、カットと負圧ｐ１の拡幅の同期は、保護領域の必要幅に寄与するだろう。
【００３０】
負圧ボックスと乾燥用シリンダとの間に形成された狭い負圧領域を、ワイヤの入射方向で他のスペースから噴射ブローにより区切ることは公知であり、これにより、エアは、負圧領域から排出され、同時に、周囲スペースからエアが吸引されることが防止されるか、若しくは、負圧領域へとエアがワイヤと共に至ることが防止される。本発明による解決手段の適用では、噴射ブローは、ウェブの通紙中、例えば第２及び第３のストリップにて、局所的に妨害されてよく、これらの点でウェブ上に作用する負圧が減少するだろう。
【００３１】
必要な時、第２及び／又は第３のストリップにて、ウェブの通紙中にこれらのストリップが第１の乾燥用シリンダ後に乾燥ワイヤに追従するのを積極的に防止できる部材を配設することも可能である。部材は、例えばこれらのストリップがワイヤに追従するのを防止するか、若しくはワイヤからこれらのストリップを離脱させるブローを有する噴射部材を含んでよい。
【００３２】
乾燥用シリンダと乾燥ワイヤとの間の隙間でのリーダの所望の走行は、更に、当該ストリップを適切に湿らせることによって、即ち、乾燥ワイヤへの当該ストリップの付着を改善することによって、確実化される。他方、乾燥用シリンダからのリーダの離脱は、また、ウェブ上若しくはシリンダ上の適切な点に異なる物質（離脱を目的とした場合例えばシリコンを含む物質）を噴射することによって、確実化される。対応して、我々は、ランダウンストリップ、即ちウェブの主要部が乾燥ワイヤから離脱し乾燥用シリンダの表面に付着することを、ウェブの当該部位を乾燥用シリンダの表面に、知られた適用可能な物質を用いて固着させることによって、確実化できる。例えば、ウェブ若しくはシリンダの表面に、ウェブのシリンダ表面への付着を改善する物質を噴射することは可能である。
【００３３】
本発明は、ウェブのリーダのみが乾燥用シリンダ上を搬送される時に、それを更に乾燥部で搬送するために適用可能であり、ウェブの残り部は、乾燥部を離れ、乾燥用シリンダ前のパルパー等に至ることが可能とされる。バリアは、周囲領域からリーダの負圧領域をシールすることができる。
【００３４】
本出願では、第１の乾燥用シリンダは、特に言及されない限り、当該乾燥部の第１の乾燥用シリンダを意味するが、乾燥部や乾燥用シリンダ集合のまさに一番目の乾燥用シリンダである必要はない。従って、本発明は、乾燥用シリンダ集合内で、例えば４番目と５番目の乾燥用シリンダの間の領域に適用することも可能である。
【００３５】
これより、添付図を参照して本発明をより詳細に説明する。
【００３６】
図１は、単一のワイヤ走路を備えた乾燥部で本発明が適用された第１の乾燥用シリンダ集合を示す。しかし、本発明は、他の場所のシリンダ集合にも、他の乾燥用シリンダ集合にも、及び、他の種類の乾燥部においてさえも適用可能である。
【００３７】
図１の場合、乾燥されるべきウェブｗは、乾燥用シリンダ集合１２の乾燥ワイヤＦへと搬送吸引ロール１０により搬送され、この場合、ワイヤは、第１の乾燥用シリンダ１４、及び、更には第１の吸引ロール１６、次の乾燥用シリンダ１４’、次の吸引ロール１６’，１６”及び乾燥用シリンダ１４”、１４’”等々、乾燥集合の端部までウェブを案内する。吸引ロールに代わって、乾燥集合は、ウェブを案内するための知られた他の手段を用いてよく、ウェブは、ワイヤに支持され、乾燥用シリンダ間の走路に亘って搬送される。
【００３８】
乾燥用シリンダ１４，１４’及び吸引ロール１６により形成されたポケット部には、第１の乾燥用シリンダ１４と乾燥ワイヤＦとの間の開口隙間２０に、走路中の乾燥されるべきウェブを搬送するための負圧ボックス１８が配設されており、ウェブが、吸引ロール１６まで、制御された態様で乾燥ワイヤに追従するようにする。対応する負圧ボックス１８は、図示されていないが、他の乾燥用シリンダ及び吸引ロールの間のポケット部に配置されてよい。
【００３９】
中断後、若しくは、ウェブが破れた後、新たなウェブは、搬送吸引ロール１０から乾燥ワイヤＦまで完全な幅で移送され、完全な幅のウェブが第１の乾燥用シリンダ１４上に搬送される。乾燥用シリンダ及び乾燥ワイヤ間の開口隙間２０の後では、ワイヤは、図２ｂに示すような所謂リーダである、狭いストリップだけを先ず乾燥集合２４を通して移送することを許容される。リーダが全体の乾燥集合若しくは乾燥部を制御された態様で通過したとき、図２ｃに示すように、ウェブの完全な幅へのリーダのスプレッディングが開始される。
【００４０】
搬送吸引ロール１０から来る完全幅ウェブからは、リーダは、図１の場合では、アングルカッター２２でカットされることにより形成される。カッターは、ウェブをカットするに適した如何なる種の装置であってよく、鋼製のカッターや噴水を用いたカット噴射であってよい。図１の場合、カットは、乾燥用シリンダの前で搬送吸引ロール１０の後のポイント３０で実行される。しかし、カットは、より早い段階で行われてもよい。即ち、搬送吸引ロール前、若しくは、その後、例えば第１の乾燥用シリンダ１４にて行われてもよい。
【００４１】
図２ａは、カット点３０、及び、その後の更なる距離走行後の、上方から見たウェブｗを概略的に示す図である。カット点３０での一のカットは、ウェブから従来的な方法で狭いリーダ若しくはウェブ通紙ストリップ２４、及び、第２のストリップ２６、所謂ランダウンストリップ（下降走行ストリップ）を形成する。リーダは、一般的には、マシーンの前側（ＦＳ）で作成される。ランダウンストリップは、通常、リーダからマシーンの後側（ＢＳ）まで延在する。リーダ２４は、例えば図１の場合、第１の乾燥用シリンダから且つ乾燥部で前側に走行するよう案内される。図２ａは、リーダ２４のスプレッディングが開始された時点のステップを示す。
【００４２】
本発明の典型的な一実施例によれば、図２ｂに示すように、ウェブは、３０で２つのスリット３１，３１’によりカットされることが推奨され、この場合、ウェブが、ウェブのリーダ２４とランダウンストリップとの間に、中間ストリップと称される、狭い第３のストリップを形成するようにし、本発明による保護領域がこの第３のストリップに形成される。第３のストリップ２８は、図２ｃに示すように、マシーンの後側に向かってリーダ２４のスプレッディングと共に移送される。第３のストリップの幅は、効果的には５００ｍｍより小さく、典型的には、５−３００ｍｍである。第３のストリップの幅は、カット噴射若しくはブレード間の距離を変化させることにより調整可能である。通常的には、第３のストリップは、後に引き起こすトラブルを最小限に抑えるため、可能な限り狭く作成されることが望ましい。
【００４３】
図２ｂ及び図２ｃの場合、３つのストリップ２４，２６，２８の全ては、乾燥用シリンダ１４とワイヤＦの間の開口隙間２０へと、ワイヤが乾燥用シリンダから離れる図１に示す離脱点１７までワイヤＦに追従する。この離脱領域後は、リーダ２４のみがワイヤに追従し、第２のストリップ若しくはランダウンストリップ２６は、マシーンの下方の空間へとドクターブレード３２を介して離脱される。狭い第３のストリップ２８は、例えばマシーン下方のパルパーへと、同時若しくはその後の点で乾燥部から離脱可能である。
【００４４】
図２ｄに示す第２実施例によれば、第３のストリップ２８は、カット直後に、即ち乾燥用シリンダの前においても、ストリップ２４，２６間から離脱可能である。
【００４５】
図２ｅは、図２ｂと同様の態様で、しかしながら拡大して、どのようにして完全幅ウェブｗが３つのストリップ、リーダ２４、第２若しくはランダウンストリップ２６、及び第３若しくは中間ストリップ２８へとカットされるかを示し、中間ストリップ２８は、中間ストリップの離脱を容易化すべく、カット噴射によりジグザクカット２９で若しくは他の適切な態様で２つの狭い微小なストリップへとカットされている。必要であれば、中間ストリップは、当然に、更なる複数の微小なストリップへとカットされてもよい。本発明による保護領域は、微小にカットされた中間ストリップ２８に形成される。カット点３０は、例えば、図１に示す位置に第１の乾燥用シリンダの前側に位置してよい。
【００４６】
例えば、図２ｅの場合、中間ストリップを形成するカット２９，３０，３１’に代えて、本発明による保護領域が形成される中間ストリップで特に広いスリットを形成することも可能である。
【００４７】
従って、本発明による解決方法は、実際の第３のストリップが形成されていないが、本発明による保護領域の作成が可能である位置に広いスリットが形成されるようなカットがなされている状況下においても、適用可能である。このとき、カットは、典型的には横並びになる複数のカット噴射若しくはブレードにより実現される。幅広いスリットは、互いに交互配置された複数のカット噴射若しくはブレードにより作成可能である。かかるカットにおいて、作成された紙のスクラップは、典型的なカット廃棄物として速やかにカット点から除去される。効果的には、スリットの幅は、２ｍｍより大きく、典型的には、少なくとも４ｍｍである。原理上、幅広いスリットは、ワイヤ部若しくはプレス部に既にあるウェブにおいても形成可能である。
【００４８】
ウェブの中央でリーダを形成することが望ましい場合、所謂第３のストリップは、ウェブのエッジで形成されたランダウンストリップからリーダを分離するため、リーダの両側に形成することができる。
【００４９】
図１に示す開口隙間２０において、いわゆる離脱点１７では、負圧ボックス１８は、リーダ２４に大きい負圧ｐ１を作用させ、この圧力は、例えば図２ｅに示すように、マシーンの前側に形成される。負圧は、リーダ２４が乾燥ワイヤＦに付着した状態を維持し、これにより、リーダは、乾燥部において順方向に走行させられる。負圧ボックス１８の負圧は、前側から後側（ＢＳ）に向う方向で、中間ストリップ２８にて減少することが可能とされ、第２のストリップ２６での負圧が、圧力ｐ２まで低減するようにし、圧力ｐ２は、ゼロ、即ち大気圧、若しくは正圧でありうる。圧力ｐ２は、当該圧力により第２のストリップが開口隙間２０にてワイヤから制御された態様で離脱できるような値に設定される。第２のストリップ２６は、典型的には、乾燥用シリンダ１４からドクターブレード３２まで追従するように構成され、ドクターブレード３２から、ウェブは、マシーンの下に下方向に流れることができる。
【００５０】
図２ｅの右側は、圧力曲線矢印により、負圧ボックスの離脱点１６において、通紙中、マシーン横断方向で異なる負圧レベル／圧力レベルｐを示す。図２ｅは、第２のストリップでの負圧ｐ２よりも大きいリーダ２４での負圧ｐ１を示す。本発明の他の適用では、圧力ｐ２は、ゼロ若しくは正圧であってもよい。図２ｅは、負圧レベルｐが第３のストリップ２８で変化することも示している。
【００５１】
第３のストリップ２８での負圧を減少させると、この狭い中間ストリップ２８は、ワイヤから離れることができ、例えばランダウンウェブと共にマシーン下方のパルパーへと至ることができ、若しくは、ウェブ通紙での問題を起こすことなく、乾燥部で、例えば一若しくはそれ以上の乾燥用シリンダ上を、短距離だけ更に走行することができる。第３のストリップは、非常に狭いので、容易に破れ、従って、乾燥部から容易に除去することができる。負圧は、典型的には最大値から最小値まで、第３のストリップにて減少される。図２ｅの場合、ウェブ通紙のスプレッディング段階は既に開始している。リーダ２４は、カット点３０、３０’で、乾燥部へと既に前進させられているリーダストリップの当該部分よりも幅が広い。
【００５２】
本発明による典型的な解決策では、負圧ボックスの負圧レベルは、マシーン横断方向で制御可能であり、負圧ボックスが高い負圧レベルｐ１を生成する領域が、ウェブ通紙中、主に第１のストリップ２４の幅が広げられるにつれて、横断方向で増加するようにする。従って、負圧ボックスは、効果的には、幅が広がるリーダ全体に大きな負圧を生成する。結果的に、負圧ボックスの圧力レベルは、主にランダウンストリップ上でのみレベルｐ２に維持されることになる。
【００５３】
本発明による第３のストリップ、中間ストリップの使用は、リーダ及びランダウンストリップの双方の領域上での最適な負圧領域の配列を容易化する。負圧及び互いに異なる負圧を備える領域の分離に対して、以下に説明する如く、異なる解決策がある。負圧領域の変化は、異なる方法でリーダのカットと同期させることもできる。
【００５４】
図１において、本発明は、プレス部直後の乾燥部の開始位置に配置された乾燥用シリンダ集合の開始部に適用されている。本発明による解決策は、どこに使用されてもよく、例えば、異なる乾燥用シリンダ集合において、若しくは乾燥部の他の場所に配置された乾燥用シリンダ集合において、乾燥用シリンダ集合に加えて他の乾燥部を含む乾燥部において、若しくは、乾燥用シリンダ集合の他の場所において使用されてもよい。本発明は、典型的には、ウェブがそこから下方向に走行できる乾燥用シリンダに適用される。
【００５５】
図３ａは、離脱点１７でリーダでの領域上に周囲領域よりも高い負圧を生成すると共に、周囲領域から当該負圧を分離するための解決策を示す。図３ａは、ワイヤ及びシリンダ１４間の離脱点１７で、第１の乾燥用シリンダ１４とウェブｗを搬送する乾燥ワイヤＦとの間の開口隙間２０に配設された負圧ボックス１８の一部を示す。負圧ボックスは、ウェブに対向しない側のワイヤに強い負圧ｐ１を負圧領域３４に生成し、この負圧により、ウェブは、ワイヤに保持される。ウェブの走行方向での負圧領域３４の長さは、典型的には５０〜３００ｍｍであり、効果的には１００〜２００ｍｍである。図３ａの場合、負圧は、上方及び下方に吹く噴射ノズル３６，３８により、負圧領域からエアを噴出する一方で、吸引開口若しくは吸引チャンネル４０に負圧領域からエアを吸引することによって、生成される。ネット４２若しくはその類が吸引チャンネルの前側の吸引開口に配設され、吸引チャンネル内に紙くずが搬送されることを防止する。
【００５６】
負圧は、単に噴射、若しくは吸引のみによっても生成可能である。噴射ノズルが使用されない場合、ワイヤの入力及び出力側の負圧領域は、他の手段、例えば機械的なシールによりシールされなければならない。
【００５７】
負圧ボックスは、図３ａに示すものよりも実質的に大型でありうり、また、図１に示すボックス１８のように、乾燥用シリンダ間のポケット部全体を主に占めることができる。このとき、図３ａには示されていないボックスの延長部は、図３ａに示すその上部よりもワイヤ上により少ない負圧ｐ３を実質的に生成する。この種の負圧ボックスは、本出願人による国際特許出願ＰＣＴ／ＦＩ００／００１３０に開示されている。
【００５８】
本発明によると、図３ａの負圧ボックスには、ボックスにより生成される負圧をウェブの横断方向に制御可能とする部材が配設される。当該部材は、バリアバンドと称されるバンド４４を含み、バンド４４は、吸引チャンネルの吸引開口の前側に配設され、ウェブの横断方向で可動であり、幾つかの部分に開口５０が設けられる。図３ｂは、一例として、バンドにおける穴５０の配列及び形状を概略的に示す。バンドにおける他の配列方法と同様、穴５０の多くの他の形状が可能である。バンドの幅及び高さは、典型的には、ソリッドバンドとして図３ａの吸引チャンネル４０の吸引開口を閉じることができるよう設定され、従って、吸引作用を防止することができる。バンド４４及びそれを移動させる部材が図３ｂに示されている。
【００５９】
図３ｂの場合、バンド４４は、ウェブの幅の２倍よりも僅かに大きい長さを有する無限バンドループである。無限バンドに代わって、必要な場合には、マシーンの両側で、バンドがマシーン横断方向に移動する時にロールから巻き出し若しくはロールに巻取りできる長いバンドを使用することも可能である。
【００６０】
図３ｂにおいて、バンド４４は、負圧ボックスの構造の外面に沿って吸引チャンネルの吸引開口の前側を通るように配設されている。バンドは、望ましい場合には、例えば図３ａのネット４２の右側で、吸引チャンネルを横断して走行するように構成することもできる。
【００６１】
図３ｂの場合、約半分のバンド４４ａに穴５０が設けられる一方で、第２の半分４４ｂは、開口なしであるか、若しくは、実質的により少ない穴が設けられる。バンド４４は、ロール５２まわりを移動できる。ロールの一つ５２’は、駆動ロールとして配設される。このようにして、バンドは、マシーン横断方向に移動でき、開口が形成されたバンド４４ａの小さい若しくは大きい部位が、図３ａの吸引開口の前側に位置するようになる。
【００６２】
通常走行中、穴が形成されたバンドの部位４４ａは、典型的には、吸引開口全体の前側に配設され、全領域３４上に妨害のない吸引作用を生成する。ウェブ通紙中、バンドは、吸引作用がリーダ２４上でのみ生成されるように移動する。穴が無く、若しくはバンドの残りの部位よりも少ない穴を有するバンドの部位４４ｂは、ウェブのランダウン部位、即ち、第２のストリップ上を移動する。かくして、負圧は、ワイヤからウェブを離脱させ、乾燥用シリンダ上をドクターブレードまで走行し続ける必要がある領域で減少される。ウェブの通紙のスプレッディング段階中、バンド４４は、図３ｂの前側から後側に移動し、吸引作用下の領域がリーダのスプレッディングに従って増加するようにする。負圧は、幅が広がるリーダ全体で大きく維持される。負圧は、狭くなるランダウンウェブ上でより小さく維持される。効果的には、バンドは、全体の移動中、リーダと第２のストリップとの間の領域で、例えば第３のストリップ若しくは幅広いスリット上で、負圧がｐ１からｐ２に変化するように、移動する。
【００６３】
本発明によると、保護領域は、負圧領域と負圧の小さい領域との間に配設される。保護領域は、一若しくはそれ以上の縦型シール４６，４８を配設することにより生成され、シール４６，４８は、互いに比較的近接し、負圧領域と負圧の小さい領域との間に位置することになるバンド４４の部位でワイヤに向かってバンドから突出し、これにより、シールが、負圧領域間のエア流れに対するバリアを形成する。シール４６，４８は、プラスティックや他の柔軟な材料から形成された遮断プレート、ブッシュ若しくは対応する部材であってよく、ワイヤに比較的近接して延在するように搭載される。シールは、バンドとウェブ間の領域３４を各部位へとマシーン横断方向に分断する。シールは、異なる領域間に保護領域を生成し、これにより、より小さい負圧若しくは正圧の領域からエアが負圧領域へと流出することを防止する。
【００６４】
本発明による解決策によると、第３のストリップがリーダ２４と第２のストリップ２６との間に第３のストリップが形成され、シール４６，４８が、バンド内の典型的には第３のストリップ若しくはより小さい幅を有する領域内に配設される。バンド自体は、シールが設けられた領域が第３のストリップ上に位置するように配設され、シールが設けられた領域は、当該領域上に保護領域を形成する。このとき、第１のシールは、効果的には、リーダと第３のストリップとの間のスリットに、最も適切にはスリットから±１５ｃｍの距離で配置される。第２のシールは、効果的には、第３と第２のストリップ間のスリットに、最も適切にはスリットから±２０ｃｍの距離で配置される。
【００６５】
シール４６，４８は、離脱領域内にマシーン横断方向に流れバリアを形成する。噴射ノズルからのブローは、ワイヤの入力及び出力側、領域３４の上及び下の負圧領域をシールする。更に、従来的なエッジシールが、図示されていないが、負圧ボックスのエッジに配設される。
【００６６】
負圧ボックスとウェブとの間の領域３４は、このようにして、シールにより実現される保護領域により２つの領域へと、若しくは望ましい場合にはそれ以上の領域へと分割でき、各領域において負圧は個別に制御可能である。図３ａ及び図３ｂの場合、負圧は、各領域に作用する吸引作用を制御することにより制御できる。図３ｂの場合、吸引作用は、吸引開口の前側にバンド４４の適切な部位を配設することによって制御される。
【００６７】
図３ｂの場合、バンド４４は、マシーンの前側（ＦＳ）の第１の部位４４ａに大きな穴５０が設けられる。この第１の部位４４ａは、負圧が負圧領域に如何にして生成されるかを制御し、これにより、リーダは、ウェブ通紙及びスプレッディング中にワイヤに保持される。図３ｂの場合、バンド４４は、マシーンの後側（ＢＳ）の第２の部位４４ｂに完全に穴が無く配設されている。この第２の部位４４ｂは、ランダウンウェブ部位に向けられる作用を有する負圧領域の部位での負圧の生成を低減若しくは防止する。
【００６８】
シール４６，４８間には、負圧が制御される、若しくは、エッジ領域の負圧間の圧力に留まることを許容される、小さな分離した中間領域が残されている。この中間領域は、本発明による第３のストリップに位置する。この負圧領域を画成するために必ずしも２つの分離したシールを用いることは必要でないが、負圧領域は、エア流れの流出に起因して自動的に一のシールまわりに形成される。
【００６９】
図３ａによる解決策では、負圧は、吸引作用を制御することにより制御される。負圧は、必要である時、他の手段により、例えば、特に負圧がランダウンストリップに向けられている負圧領域における噴射ノズル３６の作用を低減することにより、ランダウンストリップ上でより低いレベルまで制御可能である。噴射ブローの作用は、噴射ブローを防止することによって、若しくは、例えば対向するブローにより、若しくは、破線で示す噴射ブローの前側でウェブに向かって突出する部材により、噴射ブローを妨害することによって、低減できる。
【００７０】
図４ａ乃至図４ｄは、負圧ボックスの吸引チャンネル４０の吸引開口での吸引を制御するための、図３ａ及び図３ｂに示す解決策とは僅かに異なる制御部材を示す。図４ａは、可能な箇所で、前の図面と同一の参照符合が付されている。
【００７１】
図４ａは、図３による開口隙間２０でのワイヤＦ及び乾燥用シリンダ１４の断面図を示す。吸引チャンネル４０を備えた負圧ボックス１８は、離脱点１８に配設される。シール部材４６は、マシーンを横切る方向に可動なように、吸引チャンネルに配設される。２つの穿孔プレートは、吸引チャンネルの開口でチャンネルを横断して互いに対向するように配設され、これらのプレート、実際の開口プレート４５及び制御プレート４７により、領域３４の吸引チャンネルの吸引作用を完全に若しくは部分的に防止することができる。これらのプレートの幅及び高さは、主に、吸引チャンネル内に配設された際に全吸引チャンネルを協働してカバーするように設定され、これにより、エアは、プレートの穴のみを主に通って吸引チャンネル内に流入できる。
【００７２】
穴は、プレート内に形成され、制御プレート４７が、相互位置、所謂開口位置にあるときに、即ち、図４ｅに示すように、制御プレートの穴５３及び穿孔プレートの穴５１が互いに重なり合うときに、エアが実際の穿孔プレート４５の全ての穴５１を通過するようにする。このとき、吸引作用は、マシーンの横断方向の負圧ボックス領域の全体にわたって得られる。
【００７３】
制御プレートは、図４ｃに示すように、穿孔プレート４５内の全ての穴５１を制御プレートがカバーするように、マシーンの横断方向で移動することができ、そこでは、実際の穿孔プレートの全ての穴５１が制御プレートによりカバーされ、制御プレートの全ての穴５３が実際の穿孔プレートによりカバーされる。このとき、全体として吸引チャンネル４０は閉となり、負圧ボックスとシリンダとの間の領域に吸引作用は一切得られない。
【００７４】
ここで示す模範的な場合、実際の穿孔プレートに形成される穴５１は、同一のサイズの対称的な丸穴である。制御プレートの主要な穴は、丸であり、穴５１と略同一の大きさである。制御プレートに前側で形成された穴５３’は、楕円形穴であり、穴５１よりも実質的に長く、これにより、プレートは、図４ｄに示す位置に配設可能となり、この位置では、前端の穴のみが互いに重なり合い、エアの流れを許容する。後端の穴は、重なり合わず、各々のプレートによりカバーされ、従って閉とされる。
【００７５】
プレートが図４ｄに従って相互に位置付けられた時、負圧ボックスは、例えばリーダでのみ吸引作用を生成することができ、従って、ウェブ通紙中、当該領域においてランダウンウェブが走行する空間においてよりも強い負圧を生成することができる。
【００７６】
本発明によれば、シール部材４６を負圧ボックス１８と乾燥用シリンダ１４との間に配設することも可能であり、この場合、シール部材４６は、リーダの領域により強い負圧を維持することを可能とする。図５ａは、ウェブを横断して延在する乾燥用シリンダ１４の前側の負圧ボックス１８を示し、これにより、ボックスには、ボックスとシリンダとの間の負圧領域３４に配設されるシール部材４６’が設けられ、前側の大きい負圧の狭い領域３４’が残りの僅かな負圧の領域３４’’からシールされる。
【００７７】
シール部材４６’は、図５ｂの拡大図に示すように、マシーンを横切るキャリッジを含み、圧縮エアがキャリッジの穴５５によって供給でき、キャリッジ４６’とワイヤＦの間にシール用噴射ブロー５７を生成する。このようにして、充分に大きい負圧ｐ１が領域３４’においてリーダ２４上で維持され、ストリップが開口ニップでワイヤＦに保持されることが確実とされる。領域３４’’における第２のストリップ２６、ランダウンストリップにて維持される負圧は大きくないが、僅かに負圧、ゼロ、若しくは正圧となりうる圧力ｐ２である。第３のストリップ２８上の領域３４’’’では、圧力は圧力ｐ１から圧力ｐ２へと変化する。ウェブ通紙のスプレッディング段階中、キャリッジ４６’は、リーダのスプレッディングの従って後側（ＢＳ）に向かってワイヤ５９の補助により移動することができる。リーダがウェブの全幅まで広げられた時、吸引チャンネルの吸引開口の前側で配設された図４ａ乃至図４ｆのプレート４５，４７は、全ての穴が開、即ち図４ｅに示す位置となるように位置付けできる。吸引作用により生成される負圧が必要とされない場合、プレートは、全ての穴が閉となる図４ｃに示す位置へと位置付けできる。
【００７８】
図４ａ乃至図４ｆの制御プレート４７には、異なる長さの穴５３’を設けることができ、例えば、最も長い穴が前側に配設され、図４ｆに示すように、後側に向かうにつれて穴は徐々に短くなる。このとき、制御プレート４７の最も長い穴に位置する穿孔プレートの第１の穴５１は、開となる。制御プレートを移動させることによって、例えばウェブ通紙のスプレッディング段階において、スプレッディングの最終段階で全ての穴が開となるまで、開となる穴の数を徐々に増加することが可能となる。プレート内の穴は、他の形状であってよく、必要であれば、長方形、正方形、スリットで形成された穴であってよい。
【００７９】
図３ａ、図３ｂ、図４ａ乃至図４ｆによる解決策において、ウェブのランダウン部位は、負圧を減少させることによりワイヤに追従することを防止され、これにより、通常走行中、ワイヤにウェブ全体が付着し、乾燥部で前方にウェブが搬送される。
【００８０】
図６ａ、６ｂに示す本発明による代替的な解決策は、ワイヤＦへのウェブのランダウン部位２６の追従を、ウェブに吹きつけられる所謂禁止ブローを噴射することにより防止する。
【００８１】
図６ａは、第１の乾燥用シリンダ１４とワイヤＦとの間の開口隙間２０に位置すし、隙間からワイヤロール１６まで延在する負圧ボックス１８を、マシーンの後側から示し、負圧を生成する部材は、より詳細には示されていない。部材５４は、ワイヤの走行方向で見て、ボックスの外側に配設され、ウェブのランダウン部位２６に対するブローを生成する。
【００８２】
図６ｂは、開口隙間２０でのウェブの走行の上から見た図６ａのＡ−Ａ断面図であり、ウェブは、ウェブ通紙のためにカットされており、リーダ２４は、ワイヤロール１６まで走行し、ウェブのランダウン部位２６及び中間ストリップ２８は、リーダから分離される。
【００８３】
図６ｂに示すように、ブローを生成する部材５４は、ウェブ上に延在するパイプ５４を含み、パイプは、負圧ボックス内に配設され、ブロー開口、ノズル若しくはその類が設けられ、パイプは、パイプの第１の端部５８で、図６ｂの場合後側（ＢＳ）の端部で、圧縮エア供給６３に接続される。
【００８４】
スライド６０は、パイプの第１の端部５８からパイプの第２の端部６２までの圧縮エアの通路を妨害することができるように、パイプに配設される。従って、スライド６０は、パイプを２つの部位、即ち、圧縮エア供給に接続された第１の部位５８’、及び、圧縮エア供給に接続されていない第２の部位６２’に分離する。スライドは、例えば金属製若しくはプラスティック製の棒であり、従来的なシールの補助により、比較的しっかりと（密着して）パイプの内面に対してシールされる。スライドとパイプの内面の間のシールは、絶対的に密着した態様である必要はない。
【００８５】
パイプにおいて、典型的には３〜７ｍｍの直径、例えば約５ｍｍの直径の小さな穴の列が、長手方向に沿って、典型的には４０から４００ｍｍの分布、例えば約３００ｍｍの分布でドリルにより開けられ、若しくは、他の適切な方法で開けられる。圧縮エアブローは、パイプの第１の部位５８’からのみ、小さな矢印５９で示すように、パイプの穴を通して吐出される。スライダ６０の位置は、ブローがウェブに対して向けられる領域の長さを決定する。
【００８６】
図６ｂに示す解決策では、スライド６０は、第３のストリップ２８、即ち中間ストリップ上に主に配置され、ブローが主にウェブのランダウン部位２６にのみ向けられるようにする。このようにして、ウェブのランダウン部位２６は、ワイヤから離脱し、パルパー若しくはマシーン下方のその類に強制的に下降させられる。リーダ２４にはブローは向けられず、これにより、リーダ２４が乾燥部へと前方に走行することが可能となる。保護領域が第３のストリップ上に形成され、当該領域では、ブローは如何なる作用も付与しない。このようにして、リーダをワイヤに保持させることを確実にすることが可能となる。第３のストリップ２８は、当該場合に最も適切と思われる方法で除去される。
【００８７】
ウェブ通紙段階がウェブのスプレッディング段階に連続する時、ブローがウェブの全幅に亘って停止すると共にウェブが乾燥部まで全方向にその全幅で搬送されるまで、スライド６０は、スプレッディングに従って、即ち、パイプの第１の端部５８に向かって、ウェブのアングルカッターに従って移動する。図６ｂに示す解決策の場合、ワイヤ６１、例えばプラスティック被覆ワイヤは、スライド６０の両端に固定され、ワイヤは、後側で引取装置６４を有し、スライドをパイプ内を後側の端部まで引っ張ることを可能とする。後側の端部では、パイプは、シールによって閉塞される。引取装置と関連して、リール若しくはドラムが更に存在し、その上にワイヤを巻き取ることができる。マシーンの他の側では、即ち前側では、対応して、ワイヤの巻返し装置６４’が存在し、これにより、噴射の必要がなくなった際にスライドを前側に引っ張り戻すことができ、スライドは、次のウェブの通紙段階に対する準備状態となる。
【００８８】
ウェブ通紙の開始時、スライドは、自動的に移動してリーダ２４での遮断噴射を閉にする。初期段階では、リーダは非常に狭い。図６ｂは、ウェブスプレッディング中のウェブ通紙段階を示し、ウェブの比較的広い部分が既に乾燥部に搬送されている。スプレッディングの初期段階では、引取ロール６４は、自動的に始動され、これにより、スライド６０は、引取装置６４により、マシーン横断方向に移動しリーダの幅を広げるアングルカッターと同一速度で後側に向かって移動することができる。完全幅ウェブが乾燥部に搬送された時、ブローを停止することができ、前側のパイプ部６６へとスライドを引き戻すことができ、そこで、スライドは、次のウェブの通紙段階に対する準備状態となる。
【００８９】
図６ａ，図６ｂの場合、ウェブ通紙は、更に、同時に、図３ａ及び／又は４ａ乃至ｆに示す解決策を用いることによって制御可能である。ウェブの異なるストリップの経路は、更に、ワイヤ若しくは乾燥用シリンダにウェブの異なるストリップを分離して取り付けることによって、若しくは、これらに取り付けられるのを、ウェッティングや液体噴射等を用いて知られた方法で防止することによって、制御可能である。
【００９０】
図７及び図８は、ウェブのランダウン部位が乾燥部へと前方に早く独自に搬送されすぎるのを防止する方法を示す。図７及び図８による解決策において、ウェブのランダウン部位、即ち第２のストリップ２６は、水若しくは他の適切な物質を噴射することにより乾燥用シリンダに付着され、これにより、第２の部位は、リーダよりも乾燥用シリンダの表面により良好に付着することになる。このようにして、シリンダから例えばドクターブレードにより離脱されるまでシリンダの表面に付着されるので、第２のストリップ２６を前方に走行させることが可能である。
【００９１】
図７は、乾燥部の開始部を示し、そこでは、２つのカット噴射２２，２２’が、第１の乾燥用シリンダ１４の前側に配設され、これにより、カット噴射は、ウェブに２つのスリット、ランダウンストリップ及び本発明による中間ストリップをカットする。ウェブの走行方向にてカット点３０から短距離の位置には、ウェブのランダウンストリップ及び中間ストリップに向けて、付着に適した水や他の液体のような液体ジェットを噴射する噴射管６８が配設されている。水はリーダには噴射されない。図１の場合、ウェブのランダウンストリップは、シリンダ表面への付着に適した水若しくは他の液体をノズル６８’から噴射することにより乾燥用シリンダ１４に付着される。
【００９２】
図８は、図７のＢ−Ｂ断面を示す。断面は、ウェブの通紙段階が初期化された際の２つのカット噴射２２，２２’をカット点で示す。カット点では、ウェブｗは、カット点の前側で狭いリーダ２４へと、カット点の後側で中間ストリップ２８及びランダウンストリップ２６へとカットされる。第２のカット噴射２２’に近接した位置には噴射管６９が固定されており、噴射管６９は、リーダの通紙段階中、マシーンの後側に向かってカット噴射と共に移動する。この噴射管は、中間ストリップ２８及び第２のストリップのエッジに向けて液体を噴射する。噴射管６８の列は、更に、カット点の後側に配設され、管６８は、ウェブｗのランダウンストリップ２６へと液体噴射６８”を方向付ける。噴射管６８にはバルブ７０が設けられ、これにより、前側（ＦＳ）に最も近い噴射管を先ず遮断し、後の段階で後側（ＢＳ）に最も近い噴射管を遮断することによって、噴射をスプレッディング段階中に段階的に且つ自動的に停止できる。
【００９３】
図７及び図８に示す解決策によれば、ウェブのランダウン部位は、水のような適切な液体を噴射されることにより、第１の乾燥用シリンダへとガイドされる。乾燥部へと走行するウェブの部位のスプレッディング中には、噴射管のバルブ若しくはノズルは、ウェブのスプレッディングに従って閉とされ、当該部位に噴射されないようにする。
【００９４】
第２の代替アプリケーションでは、ランダウンウェブは、適切な点でシリンダ表面を例えばウェットスポンジにより湿らせることにより、乾燥用シリンダの表面に付着させることができる。シリンダ表面のウェッティングは、リーダの領域を除く、ウェブの全体領域にわたって延在することができる。スプレッディング段階中、ウェッティングは、乾燥部まで走行するウェブの領域で、当該部位に対応するシリンダ表面の部位からウェッティングスポンジを取り除くことによって、終了される。
【００９５】
図７及び図８の場合、ランダウンウェブを噴射することによって乾燥用シリンダの表面にランダウンウェブを付着させる解決策が存在する。従って、リーダ２４は、湿らせることができ、ウェブの残りの部位よりもワイヤにより良好に付着するようにするか、若しくは、ウェブの残りの部位よりもシリンダから離れやすくし、これにより、リーダは、ウェブの残りの部位よりも乾燥部へと前方にワイヤに追従しやすくなる。
【００９６】
双方の場合、ウェブのランダウン部位とリーダとの間に保護領域、即ち第３のストリップ若しくはその類を形成することが効果的であり、これにより、ウェブのランダウンストリップに向けられた噴射が望ましくない態様でリーダに到達するのが防止されるか、若しくは、リーダに向けられたウェッティングが、ウェブのランダウンストリップに到達するのが防止される。
【００９７】
図９ａ−図９ｂ及び図１０ａ−図１０ｆは、図３ａ，図４ａの解決策とは異なる制御部材を示し、この制御部材は、負圧ボックス内の吸引チャンネルの吸引開口の開口領域を制御できる。
【００９８】
図９ａは、ウェブを横切り吸引開口の前側に搭載される棒７２を示し、部分的に“傾斜面が形成され”、棒の第１の端部７４の断面は、破線で示す丸棒の断面の半分をカバーする半円であり、棒の第２の端部７６の断面は、９０度の円弧、及び、円弧の端部から棒の軸まで延在する２つの直線間に形成されたセグメントを含む。棒７２は丸棒から形成されうり、棒が２つの同一部分に長手方向に先ず分断されるようにすることは、推考されよう。次いで、半円の棒が平側面に工具により仕上げられ、材料が軸の両側で対称に除去されるようにし、また、棒の断面が最終的に第１の端部からその断面端部まで減少するようにする。棒の２つの平側面の間の角度は、１８０°の角度βから約９０度の角度αまで連続的に減少される。当然に、棒は、知られた多くの異なる機械工作方法を用いて当該形状へと作成できる。
【００９９】
このようにして造形された棒７２は、軸の方向に回転可能に、即ち、図９ｂに示すように、ウェブを横切り延在する負圧ボックスのスリット状の吸引開口３４の前側で回転できるように搭載され、これにより、棒は、棒が吸引開口の所望の部位をカバーすると共に所望の部位７８を開口するように、回転できる。棒を回転させることによって、ウェブのスプレッディング中、吸引開口をその長手方向で徐々に開口させることが可能である。棒の回転及びカット噴射の移動は、同時に実行される。
【０１００】
図１０ａ−図１０ｃは、前側から見た際の、図９ａ及び図９ｂの解決策が適用された負圧ボックスの吸引開口の断面を示し、図１０ｄ−図１０ｆには、異なる走行状況下での、後側から見た際の同断面が示されている。
【０１０１】
従って、図１０ａ及び図１０ｄは、ウェブ通紙中の吸引開口の断面を示し、棒７２は、棒７２は、吸引開口の前側で回転され、吸引開口を略その全長に亘って閉塞する。棒は、図１０ａに示されていないが、吸引開口の前側で、リーダの幅に対応した吸引開口の短い部分が開口するように回転できる。図１０ｄは、吸引開口がその後側の端部で完全に遮断されていることを示す。
【０１０２】
図１０ｂ及び図１０ｅは、ウェブのスプレッディング中の吸引開口の断面を示し、吸引開口３４は、前側で部分的に開口し、後側で閉塞されている。この状況は、図９ｂに示す状況に対応する。図１０ｃ及び図１０ｆは、通常走行中の吸引開口の断面を示し、吸引開口は、ウェブの全幅に亘り開口している。
【０１０３】
本発明は、上述の実施例に限定されることを意図しておらず、その目的は、請求項に定義した意図した考えの範囲内で広範に適用可能とすることである。
【０１０４】
従って、本発明による保護領域は、ウェブにカットされるたいていの多様なストリップ間に、必要に応じて形成されてよい。上述のリーダ、ランダウンストリップ及び中間ストリップに加えて、例えば分離したエッジストリップをウェブからカットすることも可能である。従って、本発明は、例えばリーダからこのエッジストリップを分離するためにも適用可能である。
【図面の簡単な説明】
【図１】
本発明が適用されるペーパーマシーンの第１の乾燥用シリンダ集合の一側面を概略的に示す図である。
【図２ａ】
スリットがリーダを生成すべく知られた方法で作成された、完全幅の紙ウェブを上方から示す図である。
【図２ｂ】
スリットがリーダを生成すべく本発明により作成された、完全幅の紙ウェブを上方から示す図である。
【図２ｃ】
スリットがリーダを生成すべく本発明により作成された、完全幅の紙ウェブを上方から示す図である。
【図２ｄ】
スリットがリーダを生成すべく本発明により作成された、完全幅の紙ウェブを上方から示す図である。
【図２ｅ】
スリットがリーダを生成すべく本発明により作成された、完全幅の紙ウェブを上方から示す図である。
【図３ａ】
本発明によるバリアを備えた保護領域が吸引開口に配設された、負圧ボックスの上端部を一側面から概略的に示す図である。
【図３ｂ】
図３ａによる解決手段で使用される吸引開口用のストリップ上の制御部材の上方からの斜視図である。
【図４ａ】
図３ａによる本発明を適用したその他の負圧ボックスの上端を示す図である。
【図４ｂ】
図４ａの負圧ボックスの吸引チャンネルに異なる位置で配設される穿孔プレートの概略図である。
【図４ｃ】
図４ａの負圧ボックスの吸引チャンネルに異なる位置で配設される穿孔プレートの概略図である。
【図４ｄ】
図４ａの負圧ボックスの吸引チャンネルに異なる位置で配設される穿孔プレートの概略図である。
【図４ｅ】
図４ａの負圧ボックスの吸引チャンネルに異なる位置で配設される穿孔プレートの概略図である。
【図４ｆ】
図４ａの負圧ボックスの吸引チャンネルに異なる位置で配設される穿孔プレートの概略図である。
【図５ａ】
ボックスがウェブを横切り延在し、これにより、負圧制御が実現される、本発明が適用される負圧ボックスの水平断面を概略的に示す図である。
【図５ｂ】
図５ａのバリア部材の拡大図である。
【図６ａ】
ボックスが乾燥用シリンダとワイヤとの間の開口隙間に配設され、妨害ブロー手段が、ランダウンペーパーの制御された案内のために配列された、本発明が適用される負圧ボックスの水平断面を、ウェブの一側面から概略的に示す図である。
【図６ｂ】
図６ａのラインＡ−Ａに沿って切断された際の断面図である。
【図７】
噴射システムがウェブのランダウンを補助するために配置された、本発明が適用される乾燥用シリンダ集合の初期段階を、乾燥部の一側面から概略的に示す図である。
【図８】
図７ａのラインＢ−Ｂに沿って切断された際の断面図である。
【図９ａ】
本発明が適用される負圧ボックスの吸引開口に搭載され吸引開口の開口を制御する部材を、上方から見た斜視図である。
【図９ｂ】
吸引開口の前側に搭載された図９ａによる部材の概略図である。
【図１０ａ】
マシーンの前側及び後側での図９ａの部材の断面図である。
【図１０ｂ】
マシーンの前側及び後側での図９ａの部材の断面図である。
【図１０ｃ】
マシーンの前側及び後側での図９ａの部材の断面図である。
【図１０ｄ】
マシーンの前側及び後側での図９ａの部材の断面図である。
【図１０ｅ】
マシーンの前側及び後側での図９ａの部材の断面図である。
【図１０ｆ】
マシーンの前側及び後側での図９ａの部材の断面図である。
【国際公開パンフレット】
2004512442.tif 000003
2004512442.tif 000004
2004512442.tif 000005
2004512442.tif 000006
2004512442.tif 000007
2004512442.tif 000008
2004512442.tif 000009
2004512442.tif 000010
2004512442.tif 000011
2004512442.tif 000012
2004512442.tif 000013
2004512442.tif 000014
2004512442.tif 000015
2004512442.tif 000016
2004512442.tif 000017
2004512442.tif 000018
2004512442.tif 000019
2004512442.tif 000020
2004512442.tif 000021
2004512442.tif 000022
2004512442.tif 000023
2004512442.tif 000024
2004512442.tif 000025
2004512442.tif 000026
2004512442.tif 000027
2004512442.tif 000028
2004512442.tif 000029
2004512442.tif 000030
2004512442.tif 000031
2004512442.tif 000032
2004512442.tif 000033
2004512442.tif 000034
2004512442.tif 000035
2004512442.tif 000036
2004512442.tif 000037
2004512442.tif 000038
2004512442.tif 000039
2004512442.tif 000040
2004512442.tif 000041
【国際調査報告】
2004512442.tif 000042
2004512442.tif 000043